(57)【要約】【構成】ＣＣＤイメージャ１８から出力された生画像信号の黒レベルは、ダミークランプ回路２０によってアナログクランプレベルに固定される。レベル固定を施された生画像信号には、加算器２６によってオフセット信号が加算される。Ａ／Ｄ変換器２８は、加算器２６から出力された生画像信号をディジタル信号である生画像データに変換し、スイッチＳＷ１，クランプレベル設定回路３２，演算器３４，ＬＰＦ３８およびＤ／Ａ変換器３８からなるフィードバックループは、生画像データに基づいてオフセット信号を第１ディジタルクランプレベルに調整する。生画像信号の黒レベルはアナログクランプレベルおよび第１ディジタルクランプレベルの加算レベルまで上昇し、黒レベルに相当する数値が生画像データに確実に現れる。【効果】生画像データに的確な黒レベルクランプを施すことができる。【選択図】  図１
2004312551.tif 000002
【特許請求の範囲】
【請求項１】
アナログ画像信号の基準レベルを第１レベルに固定する第１固定手段、
前記第１固定手段によってレベル固定を施されたアナログ画像信号にオフセット信号を加算する加算手段、
前記加算手段によってオフセット加算を施されたアナログ画像信号をディジタル画像信号に変換する変換手段、および
前記変換手段によって変換されたディジタル画像信号に基づいて前記オフセット信号を特定レベルに調整する調整手段を備える、画像信号処理装置。
【請求項２】
前記変換手段は前記第１レベル以上のアナログ画像信号についてレベル評価を行う評価手段、および前記評価手段の評価結果に基づいて前記ディジタル画像信号を生成する生成手段を含む、請求項１記載の画像信号処理装置。
【請求項３】
前記調整手段は、前記ディジタル画像信号から前記基準レベルに相当する数値を検出する検出手段、前記検出手段によって検出された数値と前記特定レベルに相当する数値との差分値を算出する算出手段、および前記算出手段によって算出された差分値に相当するアナログ信号を前記オフセット信号として出力する出力手段を含む、請求項１または２記載の画像信号処理装置。
【請求項４】
前記変換手段によって変換されたディジタル画像信号のうち前記基準レベルに相当する数値を第２レベルに相当する数値に固定する第２固定手段をさらに備える、請求項１ないし３のいずれかに記載の画像信号処理装置。
【請求項５】
被写界の光学像に基づいて前記アナログ画像信号を生成する撮影手段、
前記ディジタル画像信号に基づいて前記被写界のリアルタイム動画像を表示する表示手段、および
記録指示に応答して前記ディジタル画像信号に基づく静止画像データを記録媒体に記録する記録手段をさらに備える、請求項１ないし４のいずれかに記載の画像信号処理装置。
【発明の詳細な説明】
【０００１】
【発明の属する技術分野】
この発明は、画像信号処理装置に関し、特にたとえば電子カメラに適用され、画像信号の黒レベルを調整する、画像信号処理装置に関する。
【０００２】
【従来技術】
従来のこの種の電子カメラの一例が、特許文献１に開示されている。この従来技術は、ＣＣＤイメージャから出力された画像信号にＡＧＣ→アナログクランプ→Ａ／Ｄ変換→オフセット加算→ディジタルクランプ→ゼロクリップ→ＬＰＦ→オフセット減算の一連の処理を施すことによって、黒レベルが上昇するいわゆる“黒浮き”を防止しようとするものである。
【０００３】
【特許文献１】
特許第３３８４６７３号公報（第７頁、図１２、図２１、図２２）
【０００４】
【発明が解決しようとする課題】
しかし、ＣＣＤイメージャのブルーミングに起因して画像信号の黒レベルがクランプ期間に相当するタイミングで上昇すると、アナログクランプによって黒レベルがマイナス側に低下する。Ａ／Ｄ変換器ではゼロクリップ処理が同時に実行されるため、黒レベルがマイナス側に低下すると、黒レベル成分が除去されてしまい、適切なディジタルクランプが行えなくなる。
【０００５】
それゆえに、この発明の主たる目的は、画像信号の基準レベルを的確に調整することができる、画像信号処理装置を提供することである。
【０００６】
【課題を解決するための手段】
この発明に従う画像信号処理装置は、アナログ画像信号の基準レベルを第１レベルに固定する第１固定手段、第１固定手段によってレベル固定を施されたアナログ画像信号にオフセットを加算する加算手段、加算手段によってオフセット加算を施されたアナログ画像信号をディジタル画像信号に変換する変換手段、および変換手段によって変換されたディジタル画像信号に基づいてオフセットを調整する調整手段を備える。
【０００７】
【作用】
アナログ画像信号の基準レベルは、第１固定手段によって第１レベルに固定される。レベル固定を施されたアナログ画像信号には、加算手段によってオフセット信号が加算される。変換手段はオフセット加算を施されたアナログ画像信号をディジタル画像信号に変換し、調整手段は変換されたディジタル画像信号に基づいてオフセット信号を特定レベルに調整する。
【０００８】
変換手段によって変換できる範囲に下限があり、かつアナログ画像信号の基準レベルがこの下限を下回る場合、ディジタル画像信号には基準レベルに相当する数値が現れない。そこで、この発明では、アナログ画像信号の基準レベルを第１レベルに固定し、特定レベルに調整されたオフセット信号を第１レベルに固定されたアナログ画像信号に加算するようにしている。これによって基準レベルが第１レベルおよび特定レベルの加算レベルまで上昇し、基準レベルに相当する数値がディジタル画像信号に確実に現れる。なお、第１固定手段で対応できないアナログ画像信号のレベル変動には、オフセット信号を大きくすることで対応可能となる。
【０００９】
好ましくは、変換手段は、第１レベル以上のアナログ画像信号についてレベル評価を行い、この評価結果に基づいてディジタル画像信号を生成する。
【００１０】
好ましくは、調整手段は、ディジタル画像信号から基準レベルに相当する数値を検出し、検出された数値と特定レベルに相当する数値との差分値を算出し、そして算出された差分値に相当するアナログ信号をオフセット信号として出力する。
【００１１】
好ましくは、変換手段によって変換されたディジタル画像信号のうち、基準レベルに相当する数値が、第２固定手段によって第２レベルに相当する数値に固定される。
【００１２】
好ましくは、撮影手段が被写界の光学像に基づいてアナログ画像信号を生成し、表示手段がディジタル画像信号に基づいて被写界のリアルタイム動画像を表示し、そして記録手段が記録指示に応答してディジタル画像信号に基づく静止画像信号を記録媒体に記録する。
【００１３】
【発明の効果】
この発明によれば、アナログ画像信号の基準レベルを第１レベルおよび特定レベルの加算レベルまで上昇させるようにしたため、基準レベルに相当する数値がディジタル画像信号に確実に現れることとなる。これによって、画像信号の基準レベルを的確に調整することができる。
【００１４】
この発明の上述の目的，その他の目的，特徴および利点は、図面を参照して行う以下の実施例の詳細な説明から一層明らかとなろう。
【００１５】
【実施例】
図１を参照して、この実施例のディジタルカメラ１０は、ＣＣＤイメージャ１８を含む。被写界の光学像は、光学レンズ１２およびシャッタ機構１４を介してＣＣＤイメージャ１８の受光面に照射される。
【００１６】
電源が投入されると、ＣＰＵ５２は、プリ露光および間引き読み出しの繰り返しをドライバ１６ｂに命令する。ドライバ１６ｂは、ＴＧ５４から出力されたタイミング信号に応答して、ＣＣＤイメージャ１８にプリ露光を施し、かつプリ露光によって生成された電荷（生画像信号）を間引き態様でＣＣＤイメージャ１８から読み出す。ＣＣＤイメージャ１８からは、ラスタ走査された低解像度の生画像信号が周期的に出力される。出力された生画像信号は、ダミークランプ回路２０でアナログクランプを施される。
【００１７】
図２（Ａ）を参照して、ＣＣＤイメージャ１８の受光面には、有効画素エリアと光学的黒エリアとが形成される。有効画素エリアは、光学的黒エリアによって囲まれる。光学的黒エリア内には、アナログクランプエリアおよびディジタルクランプエリアが割り当てられる。ディジタルクランプエリアは、アナログクランプエリアよりも狭くかつアナログクランプエリア内に属する。ダミークランプ回路２０は、図２（Ｂ）に示すアナログクランプパルスがハイレベルとなる期間にアナログクランプを実行する。生画像信号は図２（Ｄ）に黒帯で示す期間にアナログクランプを施され、これによって生画像信号の黒レベルがアナログクランプレベル（＝たとえば１．０ボルト）に固定される。
【００１８】
ダミークランプ回路２０から出力された生画像信号は、ＣＤＳ回路２２およびＡＧＣ回路２４で相関２重サンプリングおよび自動ゲイン調整を施される。これらの処理も、ＴＧ５４から出力されたタイミング信号に応答して実行される。加算器２６は、ＡＧＣ回路２４から出力された生画像信号とＤ／Ａ変換器３８から出力されたオフセット信号とを互いに加算し、Ａ／Ｄ変換器２８は、加算器２６から出力された生画像信号をディジタル信号である生画像データに変換する。Ａ／Ｄ変換器２８では、ディジタル信号への変換と同時にクリップ処理が実行される。クリップレベルはアナログクランプレベルに同じ１．０ボルトであり、これによって、Ａ／Ｄ変換器２８から出力される生画像データは１．０ボルト以上の生画像信号に対応するデータとなる。
【００１９】
クランプパルス発生回路３０は、ＴＧ５４から出力されるタイミング信号に基づいて、図２（Ｃ）に示すディジタルクランプパルスを発生する。ディジタルクランプパルスは、図２（Ａ）に示すディジタルクランプエリアに対応するタイミングでハイレベルとなる。スイッチＳＷ１は、ディジタルクランプパルスがハイレベルとなる期間にオン状態に移行する。
【００２０】
したがって、Ａ／Ｄ変換器２８から出力される生画像データのうち、アナログクランプエリアに属する黒レベルデータが、スイッチＳＷ１を介して演算器３４のマイナス入力端子に与えられる。演算器３４のプラス入力端子には、クランプレベル設定回路３２から出力されたディジタルクランプレベルデータが与えられる。演算器３４は、ディジタルクランプレベルデータから黒レベルデータを減算し、減算値を示すオフセットデータを出力する。
【００２１】
出力されたオフセットデータはＬＰＦ３６によって平滑され、平滑されたオフセットデータはＤ／Ａ変換器３８によってアナログ信号であるオフセット信号に変換される。変換されたオフセット信号は、定常状態においてディジタルクランプレベルを有する。加算器２６には、このようなオフセット信号が与えられる。
【００２２】
このようなフィードバックループが形成されることによって、Ａ／Ｄ変換器２８から出力される生画像データの黒レベルは、クランプレベル設定回路３２によって設定されたディジタルクランプレベルに固定される。
【００２３】
データラッチ回路４０は、Ａ／Ｄ変換器２８から出力された生画像データを取り込み、取り込んだ生画像データを黒レベル演算回路４２と減算器４４のプラス側入力端子とに与える。黒レベル演算回路４２では、生画像データのうち図２（Ａ）に示す光学的黒エリアに属する黒レベルデータに平滑処理が施される。黒レベル演算回路４２から出力された平滑データは減算器４４のマイナス側入力端子に与えられ、生画像データから平滑データが減算される。減算器４４からは、黒レベルがゼロレベルに固定された生画像データが出力される。
【００２４】
減算器４４から出力された生画像データは、信号処理回路４６で色分離，白バランス調整，ＹＵＶ変換，ビデオエンコードなどの処理を施され、これによってコンポジットビデオ信号が生成される。生成されたコンポジットビデオ信号はＬＣＤモニタ４８に与えられ、この結果、被写界のリアルタイム動画像（スルー画像）がモニタ画面に表示される。
【００２５】
シャッタボタン５６が操作されると、ＣＰＵ５２は、信号処理回路４６からＹデータを取り込み、このＹデータに基づいて最適露光期間を算出し、そして算出された最適露光期間に従う本露光とこの本露光によって生成された全ての電荷の読み出しとをドライバ１６ｂに命令する。ＣＰＵ５２はさらに、本露光が完了するタイミングでのシャッタ機構１４の駆動をドライバ１６ａに命令する。
【００２６】
ドライバ１６ｂは、ＴＧ５４から出力されたタイミング信号に応答して、ＣＣＤイメージャ１８に本露光を施し、かつ本露光によって生成された全ての電荷を読み出す。この実施例のＣＣＤイメージャ１８はインタレース走査型であり、本露光によって生成された１フレームの生画像信号は複数フィールドに分けてＣＣＤイメージャ１８から読み出される。シャッタ機構１４は本露光が完了した時点でドライバ１６ａによって駆動され、これによってＣＣＤイメージャ１８への光の入射が遮られる。
【００２７】
読み出された生画像信号は上述と同様の処理を施され、信号処理回路４６には黒レベルがゼロレベルに固定された生画像データが入力される。信号処理回路４２は、与えられた生画像データをＹＵＶ形式の画像データに変換し、かつ変換された画像データにＪＰＥＧ圧縮を施す。ＪＰＥＧ圧縮によって生成された圧縮画像データは、ファイル形式で記録媒体５０に記録される。
【００２８】
なお、上述のスイッチＳＷ１，クランプレベル設定回路３２，演算器３４，ＬＰＦ３６，Ｄ／Ａ変換器３８および加算器２６によって形成される処理系は第１のディジタルクランプ回路に相当し、黒レベル演算回路４２および減算器４４によって形成される処理系は第２のディジタルクランプ回路に相当する。そこで、以下では、第１のディジタルクランプ回路によるクランプレベルを“第１ディジタルクランプレベル”と定義し、第２のディジタルクランプ回路によるクランプレベルを“第２ディジタルクランプレベル”と定義する。
【００２９】
ダミークランプ回路２０は、図３に示すように構成される。入力端子Ｓ１と出力端子Ｓ２との間には、キャパシタＣ１およびバッファアンプ２０ａが挿入される。また、電源電圧Ｖｃｃが印加される入力端子Ｓ３とアースとの間には、直列接続された抵抗Ｒ１ａおよびＲ２ａが挿入される。さらに、キャパシタＣ１およびバッファアンプ２０ａの接続点と抵抗Ｒ１ａおよびＲ２ａの接続点との間には、スイッチＳＷ２が挿入される。
【００３０】
入力端子Ｓ１にはＣＣＤイメージャ１８からの生画像信号が印加され、バッファアンプ２０ａから出力された生画像信号は出力端子Ｓ２を経てＣＤＳ回路２２に出力される。クランプパルス発生回路２０ｂは、ＴＧ５４から出力されたタイミング信号に基づいて、図２（Ｂ）に示すアナログクランプパルスを発生する。アナログクランプパルスは、図２（Ａ）に示すアナログクランプエリアに対応するタイミングでハイレベルとなる。スイッチＳＷ２は、かかるアナログクランプパルスがハイレベルとなる期間にオン状態に移行する。抵抗Ｒ２ａの端子電圧は１．０ボルトであり、これによって生画像信号の黒レベルが１．０ボルトのアナログクランプレベルに固定される。
【００３１】
Ａ／Ｄ変換器２８は、図４に示すように構成される。加算器２６からの生画像信号が印加される入力端子Ｓ４は、２５５個のコンパレータＣ１〜Ｃ２５５の一方入力端子に接続される。電源電圧Ｖｃｃが印加される入力端子Ｓ５とアースとの間には直列接続された２５６個の抵抗Ｒ１ｂ〜Ｒ２５６ｂが介挿され、抵抗Ｒ１ｂ〜Ｒ２５６ｂの一方端（電源Ｖｃｃ側）は、コンパレータＣ１〜Ｃ２５５の他方入力端子に接続される。
【００３２】
コンパレータＣ１〜Ｃ２５５はそれぞれ、画像信号レベルを異なる直流電圧と比較し、“１”または“０”の比較結果を出力する。画像信号レベルが直流電圧未満であれば“０”が出力され、画像信号レベルが直流電圧以上であれば“１”が出力される。エンコーダ２８ａは、コンパレータＣ１〜Ｃ２５５から２５５個の比較結果つまり画像信号レベルの評価結果を取り込み、この評価結果に対応する８ビット値を出力端子Ｓ６１〜Ｓ６８からそれぞれ出力する。
【００３３】
抵抗Ｒ１ａの端子電圧すなわちコンパレータＣ１の他方入力端子の印加電圧は、１．０ボルトである。したがって、画像信号レベルが１．０ボルトに満たないときは、コンパレータＣ１〜Ｃ２５５の全ての比較結果が“０”となる。エンコーダ２８ａはコンパレータＣ１〜Ｃ２５５の全ての比較結果が“０”を示すとき出力端子Ｓ３１〜Ｓ３８の全てに“０”を印加する。これによって、１．０ボルトを基準レベルするクリップ処理が施された生画像データが得られる。
【００３４】
黒レベル演算回路４２は、図５に示すように構成される。データラッチ回路４０から出力された生画像データは、入力端子Ｓ７を介してＯＢエリア選択回路４２ａに与えられる。ＯＢエリア選択回路４２ａは、生画像データから光学的黒エリアに属する黒レベルデータを抽出する。掛け算器４２ｂは、抽出された黒レベルデータに係数Ｋ（０＜Ｋ＜１．０）を掛け算し、掛け算データを加算器４２ｃに与える。なお、ＯＢエリア選択回路４２ａから黒レベルデータが出力されないとき、掛け算器４２ｂは同じデータ値（前値）を維持する。
【００３５】
一方、掛け算器４２ｄは、加算器４２ｃの出力に係数１−Ｋを掛け算し、掛け算データを加算器４２ｃに与える。加算器４２ｃでは、掛け算器４２ｄからの掛け算データと掛け算器４２ｄからの掛け算データとが互いに加算される。加算器４２ｃから出力される加算データは、ＯＢエリア選択回路４２ａから抽出された黒レベルデータを平滑したデータとなる。出力端子Ｓ５からはこのような平滑データが出力される。
【００３６】
スルー画像をＬＣＤモニタ４８に表示するときの生画像信号または生画像データのレベル変化を図６（Ａ）〜図６（Ｄ）を参照して説明する。まず、図６（Ａ）に示すように黒レベルがアナログクランプレベルに一致する生画像信号が、ＡＧＣ回路２４から出力される。加算器２６はこの生画像信号にオフセット信号を加算するため、生画像信号の黒レベルは、図６（Ｂ）に示すように第１ディジタルクランプレベルに合わせられる。加算器２６から出力された生画像信号は、Ａ／Ｄ変換器２８によって生画像データに変換される。このとき、クリップレベル未満の成分が除去され、かつ最大値が制限される。生画像データはその後、減算器４４で減算処理を施される。これによって、図６（Ｄ）に示すように黒レベルが第２ディジタルクランプレベルに固定される。
【００３７】
スルー画像が出力されている状態でシャッタボタン５６が操作されると、本露光が行われる。ただし、本露光が行われる１フレーム期間には、スルー画像出力のための最後の間引き読み出しが同時に実行される。この最後の間引き読み出しに基づく生画像信号または生画像データのレベル変化を図７（Ａ）〜図７（Ｄ）を参照して説明する。
【００３８】
この説明の前提として、ＣＣＤイメージャ１８のｎ型基板には、ドライバ１６ｂによってＳＵＢ電圧が印加される。ドライバ１６ｂは、スルー画像出力時にＳＵＢ電圧を８ボルト〜９ボルトに設定するのに対して、本露光時にはＳＵＢ電圧を６ボルト〜７ボルトまで低下させる。ＳＵＢ電圧が高いと、光の漏れこみに起因して光学的黒エリアで不要電荷が発生するブルーミング現象を防止できるが、受光素子のダイナミックレンジが狭くなる。逆に、ＳＵＢ電圧が低いと、受光素子のダイナミックレンジを拡大できるが、ブルーミング現象が発生し易くなる。ただし、本露光のときはシャッタ機構１４による遮光の後に不要電荷の高速掃き捨てが可能である。そこで、スルー画像出力時は、ダイナミックレンジの拡大よりもブルーミングの回避を重視して、ＳＵＢ電圧を高くしている。また、本露光時は、ダイナミックレンジを拡大するとともにブルーミングを回避するべく、ＳＵＢ電圧を高くし、遮光の後に不要電荷を高速で掃き捨てるようにしている。
【００３９】
しかし、本露光を行う１フレームで間引き読み出しを実行すると、ＳＵＢ電圧の低下に起因して発生した不要電荷が生画像信号に含まれてしまう。不要電荷が図２（Ａ）に示すアナログクランプエリア内で発生すると、ダミークランプ回路２０は、この不要電荷によって規定されたレベルを基準にアナログクランプを実行する。この結果、ＡＧＣ回路２４から出力される生画像信号の黒レベルは、図７（Ａ）に示すようにアナログクランプレベルより低いレベルにシフトする。
【００４０】
加算器２６ではこのような生画像信号にオフセット信号が加算され、これによって生画像信号の黒レベルが上昇する。ただし、ＬＰＦ３６の時定数の影響で、図７（Ｂ）に示すように黒レベルは第１ディジタルクランプレベルに到達しない。加算器２６から出力された生画像信号に基づいて、Ａ／Ｄ変換器２８からは図７（Ｃ）に示す生画像データが出力され、減算器４４からは図７（Ｄ）に示す生画像データが出力される。
【００４１】
本露光に基づいて生成されかつＣＣＤイメージャ１８から読み出された１フィールド目前半の生画像信号または生画像データのレベル変化を、図８（Ａ）〜図８（Ｄ）に示す。ダミークランプ回路２０に設けられたキャパシタＣ１の時定数により、１フィールド目の前半では、生画像信号の黒レベルはアナログクランプレベルよりも低いレベルを維持する。このため、ＡＧＣ回路２４からは、図８（Ａ）に示すレベルの生画像信号が出力される。加算器２６は、ＡＧＣ回路２４からの生画像信号にオフセット信号を加算する。このとき、オフセット信号のレベルは、図７（Ｃ）に示す生画像データに基づいて調整される。したがって、加算器２６からは図８（Ｂ）に示すレベルを有する生画像信号が出力される。加算器２６からの生画像信号に基づいて、Ａ／Ｄ変換器２８からは図８（Ｃ）に示す生画像データが出力され、減算器４４からは図８（Ｄ）に示すように黒レベルが第２ディジタルクランプレベルに合わせられた生画像データが出力される。
【００４２】
本露光に基づいて生成されかつＣＣＤイメージャ１８から読み出された１フィールド目後半以降の生画像信号または生画像データのレベル変化を、図９（Ａ）〜図９（Ｄ）に示す。
【００４３】
１フィールド目後半以降の生画像信号が読み出される時点では、ダミークランプ回路２０のキャパシタＣ１は定常状態に復帰している。このため、生画像信号の黒レベルはアナログクランプレベルに固定され、ＡＧＣ回路２４からは図９（Ａ）に示すレベルの生画像信号が出力される。加算器２６によって加算されるオフセット信号のレベルは、図８（Ｃ）に示す生画像データに基づいて調整される。加算器２６からは、図９（Ｂ）に示すように黒レベルが第２ディジタルクランプレベルに調整された生画像信号が出力される。このような生画像信号に基づいて、Ａ／Ｄ変換器２８からは図９（Ｃ）に示す生画像データが出力され、減算器４４からは図９（Ｄ）に示す生画像データが出力される。
【００４４】
以上の説明から分かるように、ＣＣＤイメージャ１８から出力された生画像信号の黒レベルは、ダミークランプ回路２０によってアナログクランプレベルに固定される。レベル固定を施された生画像信号には、加算器２６によってオフセット信号が加算される。Ａ／Ｄ変換器２８は、加算器２６から出力された生画像信号をディジタル信号である生画像データに変換し、スイッチＳＷ１，クランプレベル設定回路３２，演算器３４，ＬＰＦ３８およびＤ／Ａ変換器３８からなるフィードバックループは、生画像データに基づいてオフセット信号を第１ディジタルクランプレベルに調整する。
【００４５】
Ａ／Ｄ変換器２８によって変換できる範囲には下限があるため、生画像信号の黒レベルがこの下限を下回ると、黒レベルに相当する数値が生画像データに現れない。そこで、この実施例では、生画像信号の黒レベルをアナログクランプレベルに固定し、第１ディジタルクランプレベルに調整されたオフセット信号をレベル固定が施された生画像信号に加算するようにしている。これによって黒レベルがアナログクランプレベルおよび第１ディジタルクランプレベルの加算レベルまで上昇し、黒レベルに相当する数値が生画像データに確実に現れる。したがって、生画像データに的確な黒レベルクランプを施すことができる。
【００４６】
なお、この実施例では、ＣＣＤ型のイメージセンサを用いているが、これに代えてＣＭＯＳ型のイメージセンサを用いるようにしてもよい。
【図面の簡単な説明】
【図１】この発明の一実施例を示すブロック図である。
【図２】（Ａ）はＣＣＤイメージャの受光面の構成の一例を示す図解図であり、（Ｂ）はアナログクランプパルスの一例を示す波形図であり、（Ｃ）はディジタルクランプパルスの一例を示す波形図であり、そして（Ｃ）は生画像信号の一例を示す波形図である。
【図３】図１実施例に適用されるダミークランプ回路の構成の一例を示すブロック図である。
【図４】図１実施例に適用されるＡ／Ｄ変換器の構成の一例を示すブロック図である。
【図５】図１実施例に適用される黒レベル演算回路の構成の一例を示す図解図である。
【図６】（Ａ）はＡＧＣ回路の出力の一例を示す波形図であり、（Ｂ）は加算器の出力の一例を示す波形図であり、（Ｃ）はＡ／Ｄ変換器の出力の一例を示す波形図であり、そして（Ｄ）は減算器の出力の一例を示す波形図である。
【図７】（Ａ）はＡＧＣ回路の出力の他の一例を示す波形図であり、（Ｂ）は加算器の出力の他の一例を示す波形図であり、（Ｃ）はＡ／Ｄ変換器の出力の他の一例を示す波形図であり、そして（Ｄ）は減算器の出力の他の一例を示す波形図である。
【図８】（Ａ）はＡＧＣ回路の出力のその他の一例を示す波形図であり、（Ｂ）は加算器の出力のその他の一例を示す波形図であり、（Ｃ）はＡ／Ｄ変換器の出力のその他の一例を示す波形図であり、そして（Ｄ）は減算器の出力のその他の一例を示す波形図である。
【図９】（Ａ）はＡＧＣ回路の出力のさらにその他の一例を示す波形図であり、（Ｂ）は加算器の出力のさらにその他の一例を示す波形図であり、（Ｃ）はＡ／Ｄ変換器の出力のさらにその他の一例を示す波形図であり、そして（Ｄ）は減算器の出力のさらにその他の一例を示す波形図である。
【符号の説明】
１０…ディジタルカメラ
１８…ＣＣＤイメージャ
２４…ＡＧＣ回路
２６…加算器
２８…Ａ／Ｄ変換器
３０…クランプパルス発生回路
３４…演算器
３６…ＬＰＦ
３８…Ｄ／Ａ変換器
４２…黒レベル積算回路
４４…減算器
【図１】
2004312551.tif 000003
【図２】
2004312551.tif 000004
【図３】
2004312551.tif 000005
【図４】
2004312551.tif 000006
【図５】
2004312551.tif 000007
【図６】
2004312551.tif 000008
【図７】
2004312551.tif 000009
【図８】
2004312551.tif 000010
【図９】
2004312551.tif 000011